(57)【要約】【課題】材料の変更や製造条件、発泡層押出機の設備改造を必要とせず、巣の発生位置を制御することで、偏芯を無くし、発泡度７５％以上の良好な発泡層を有する発泡ケーブルを提供する。【解決手段】中心導体１１の外周に、充実体からなる内層１２、発泡層１３、充実体からなる外層１４を順次設けた発泡ケーブル１０において、内層１２の外表面の長手周方向に、複数の凹部１５を等間隔に形成したものである。【選択図】図１
2012243500.tif 000002
【特許請求の範囲】
【請求項１】
中心導体の外周に、充実体からなる内層、発泡層、充実体からなる外層を順次設けた発泡ケーブルにおいて、前記内層の外表面の長手周方向に、複数の凹部を等間隔に形成したことを特徴とする発泡ケーブル。
【請求項２】
前記複数の凹部を螺旋状に設けた請求項１に記載の発泡ケーブル。
【請求項３】
前記内層の凹部に前記発泡層の平均気泡径よりも大きな気泡（巣）が形成されている請求項１又は２に記載の発泡ケーブル。
【請求項４】
前記内層の凹部に形成された気泡（巣）径が前記発泡層の平均気泡径の３倍以上５倍以下である請求項１〜３のいずれかに記載の発泡ケーブル。
【請求項５】
前記中心導体の偏芯率が１．１以下である請求項１〜４のいずれかに記載の発泡ケーブル。
【発明の詳細な説明】
【技術分野】
【０００１】
本発明は、ＧＨｚ帯の通信周波数の電力を伝送する高周波ケーブルに係り、特に、高周波伝送時の損失を低減し、且つインピーダンス不整合を防止できる発泡ケーブルに関するものである。
【背景技術】
【０００２】
ＧＨｚ帯の通信周波数の電力を伝送する高周波ケーブルにおいて、中心導体を覆う絶縁体の電気特性として、誘電率ε及び誘電正接ｔａｎδが小さいことが求められる。
【０００３】
伝送損失は以下の式で表されるように、周波数ｆや誘電正接ｔａｎδ、誘電率εの平方根に比例する。
（伝送損失）∝√ε×ｆ×ｔａｎδ
【０００４】
誘電率εや誘電正接ｔａｎδを低減させるには絶縁体の材料としてＰＥ（ポリエチレン）を用いるが、誘電率εはＰＥを発泡させることで更なる低減が可能である。
【０００５】
このように絶縁体を発泡させた発泡ケーブルは既に多くの実例があり、特許文献１，２にあるように製造時における発泡ガスの噴出を防ぐため、発泡層（発泡させた絶縁体）を充実体である内層、外層で挟み込む構造を持った発泡ケーブルも多く存在する。なお、内層は中心導体と発泡層を接着させる役割も持つ。代表的な発泡ケーブルの横断面図を図８に示す。
【０００６】
図８に示すように、代表的な発泡ケーブル８０は、中心導体８１の外周に、充実体からなる内層８２、発泡層８３、充実体からなる外層８４を順次設けてなる。ここでは、発泡ケーブルの一例として、外層８４の外周に、外部導体８５、シース８６を順次設けた発泡同軸ケーブルを示している。
【０００７】
また、発泡度を高くするために、ベース樹脂や発泡核剤、発泡ガスといった材料面での開発やベース樹脂押出温度、注入ガス圧といった製造パラメータの改善といった研究はこれまでに多くなされており、現状では、発泡度７５％程度の発泡ケーブルが製造されている。
【０００８】
しかしながら、今後要求される伝送損失を満たすため、更なる高発泡化を行うと、発泡度７５％〜８０％を境界に、多くの気泡が合一することによる大きな気泡（以下、巣と称す）が発生し、中心導体８１が偏芯してしまう。巣の発生が原因で偏芯した発泡ケーブルの横断面図を図９に示す。
【０００９】
図９に示すように、内層８２と発泡層８３との境界面付近に巣９０が発生し、これにより中心導体８１が図示白抜き矢印方向に偏芯している。中心導体８１が偏芯すると、インピーダンス不整合の問題が生じ、希望する最大出力を取り出せないだけでなく、高周波回路では伝送路に反射波を生じて進行波と重畳して定在波となって、感電や電波障害などの不都合が生じてしまう。また、端末コネクタが接続できなくなる問題も発生する。
【００１０】
これまで巣を抑制しつつ高発泡化を行う手法として、特許文献３にあるように材料面で気泡の微小均一化を目指したものや、特許文献４〜６にあるように発泡層自体の構造を変化させて空隙率を増すことで発泡度向上を目指したものなど数多く提案されている。
【００１１】
ところが、気泡の微小均一化に関しては材料の変更や製造条件の見直しが必要であり、改善に時間を要す。また、発泡層自体の構造を変化させて空隙率を増すことは、発泡層押出機のダイス形状といった設備の変更をしなければならず、費用がかかる。更にダイス形状を変更すると、ダイス内の樹脂圧分布が変化してしまい良好な発泡層を得られなくなる危険性がある。
【００１２】
そこで、本発明者らは鋭意検討を重ね、巣の発生を抑制するのではなく、巣の発生位置を制御することで、これまでに生じていた中心導体の偏芯やインピーダンス不整合といった問題を解決しようと考え、内層と発泡層との境界面付近に、周方向に沿って均一に巣を発生させるような内層構造を持つ発泡ケーブルを提案した（特願２０１０−１０７４０６）。
【００１３】
図１０に示すように、本発明者らが提案した発泡ケーブル１００は、内層８２の外表面の周方向に、発泡ガスを溜め込むガスポケットとなる複数の凹部１０１を設けたものである。凹部１０１は、内層８２の外表面に周方向に等間隔に設けられると共に長手方向に沿って溝状に設けられる。
【００１４】
この発泡ケーブル１００では、凹部１０１内に巣９０を発生させることで、内層８２と発泡層８３との境界面の周方向に沿って均一に巣９０を発生させ、中心導体８１の偏芯を低減することができる。
【先行技術文献】
【特許文献】
【００１５】
【特許文献１】特開２００５−２９４２４４号公報
【特許文献２】特開２００８−２２６７７２号公報
【特許文献３】特開２００６−３３９０９９号公報
【特許文献４】特開２００７−４２３９９号公報
【特許文献５】特開２００２−１０９９７１号公報
【特許文献６】特開２０１０−４０２００号公報
【発明の概要】
【発明が解決しようとする課題】
【００１６】
しかしながら、この発泡ケーブル１００では、横断面では等間隔に巣９０が分布しているものの、長手方向（縦断面）では巣９０の大きさにバラツキが生じている。そのため、中心導体８１に加えられる力の不釣り合いが生じ、中心導体８１が偏芯する場合があった。
【００１７】
本発明は、これら事情に鑑みなされたものであり、材料の変更や製造条件、発泡層押出機の設備改造を必要とせず、巣の発生位置を制御することで、偏芯を無くし、発泡度７５％以上の良好な発泡層を有する発泡ケーブルを提供することを目的とする。
【課題を解決するための手段】
【００１８】
この目的を達成するために創案された本発明は、中心導体の外周に、充実体からなる内層、発泡層、充実体からなる外層を順次設けた発泡ケーブルにおいて、前記内層の外表面の長手周方向に、複数の凹部を等間隔に形成した発泡ケーブルである。
【００１９】
前記複数の凹部を螺旋状に設けても良い。
【００２０】
前記内層の凹部に前記発泡層の平均気泡径よりも大きな気泡（巣）が形成されていると良い。
【００２１】
前記内層の凹部に形成された気泡（巣）径が前記発泡層の平均気泡径の３倍以上５倍以下であると良い。
【００２２】
前記中心導体の偏芯率が１．１以下であると良い。
【発明の効果】
【００２３】
本発明によれば、材料の変更や製造条件、発泡層押出機の設備改造を必要とせず、巣の発生位置を制御することで、偏芯を無くし、発泡度７５％以上の良好な発泡層を有する発泡ケーブルを提供することができる。
【図面の簡単な説明】
【００２４】
【図１】本発明の一実施の形態に係る発泡ケーブルを示す横断面図及び縦断面図である。
【図２】図１の発泡ケーブルを示す斜視図である。
【図３】図１の発泡ケーブルにおける巣の発生位置を示す図である。
【図４】図１の発泡ケーブルを製造するための設備を示す概略図である。
【図５】凹部における巣の発生メカニズムを説明する図である。
【図６】本発明の変形例に係る発泡ケーブルを示す斜視図である。
【図７】図６の発泡ケーブルにおける巣の発生位置を示す図である。
【図８】従来の発泡ケーブルを示す横断面図である。
【図９】巣の発生により中心導体の偏芯が生じた発泡ケーブルを示す横断面図である。
【図１０】本発明者らが提案した発泡ケーブルを示す横断面図及び縦断面図である。
【発明を実施するための形態】
【００２５】
以下、本発明の好適な実施の形態を添付図面にしたがって説明する。
【００２６】
本発明者らは鋭意検討を重ね、巣の発生を抑制するのではなく、巣の発生位置と大きさを制御することで、これまでに生じていた中心導体の偏芯やインピーダンス不整合といった問題を解決しようと考えた。
【００２７】
即ち、本発明者らが提案する発明は、内層と発泡層との境界付近に、長手周方向に沿って均一な大きさの巣を等間隔に発生させるような内層構造を持つ発泡ケーブルである。この発泡ケーブルの内層構造の一例を図１に示す。
【００２８】
図１に示すように、本実施の形態に係る発泡ケーブル１０は、中心導体１１の外周に、充実体からなる内層１２、発泡層１３、充実体からなる外層１４を順次設けてなり、内層１２の外表面の長手周方向に、発泡ガスを溜め込むガスポケットとなる同じ寸法の複数の凹部１５を等間隔に設けたものである。
【００２９】
ここで、中心導体１１の偏芯率が１．１以下であることが好ましい。これは、偏芯率が１．１よりも大きくなると、背景技術で述べたようにインピーダンス不整合が生じ、希望する最大出力を取り出せないだけでなく、高周波回路では伝送路に反射波を生じ進行波と重畳して定在波となって、感電や電波障害などの不都合が生じてしまうためである。また、コネクタが接続できなくなるという問題が発生するためである。中心導体１１の断面形状は特に限定されず、パイプ状の導体であっても良い。
【００３０】
充実体からなる内層１２を構成する材料としては、ＬＤＰＥ（低密度ポリエチレン）や接着性のポリオレフィンエラストマーを挙げることができる。
【００３１】
発泡層１３を構成するベース樹脂（ベース材料）としては、ポリエチレン系樹脂を用いることができる。このポリエチレン系樹脂としては、ＬＤＰＥ（低密度ポリエチレン）、ＨＤＰＥ（高密度ポリエチレン）、ＬＬＤＰＥ（直鎖状低密度ポリエチレン）、ＭＤＰＥ（中密度ポリエチレン）、ＵＨＭＷＰＥ（超高分子量ポリエチレン）等の各種ポリエチレンを単独又は複数種類ブレンドしたものが挙げられる。好ましくは、高密度ポリエチレンと低密度ポリエチレンとを７０／３０〜８５／１５の割合で混合したブレンド物を用いることができる。
【００３２】
このベース樹脂の発泡は、物理発泡或いは化学発泡により行うことができる。物理発泡を行う場合、使用する発泡核剤としては、ＢＮ（窒化ホウ素）、タルク、シリカ系微粒子に代表される無機微粒子、フッ素樹脂系微粒子のほか、ＡＤＣＡ（アゾジカルボンアミド）、ＯＢＳＨ（ｐ，ｐ’−オキシビスベンゼンスルホニルヒドラジン）のような有機系微粒子を使用しても良く、特に限定するものではない。なお、ベース樹脂に着色剤等を添加しても構わない。
【００３３】
発泡剤として用いる発泡ガスは、Ｎ2、Ａｒ等いわゆる不活性ガスが好ましい。発泡ガスの注入圧力は、所望する発泡度、使用する材料の種類、発泡核剤の種類や量に応じて設定できる。
【００３４】
充実体からなる外層１４を構成する材料としては、ポリエチレン系の樹脂を用いることができ、好ましくは、高密度ポリエチレンである。
【００３５】
図２に示すように、本実施の形態に係る発泡ケーブル１０では、中心導体１１にパイプ状の銅線を用い、その外周に形成した内層１２の外表面に升目状に複数の凹部１５を設けた。なお、本発明における凹部１５は、特願２０１０−１０７４０６で提案した凹部と異なり、内層１２の外表面の長手周方向に沿って等間隔に設けられれば良く、内層１２の外表面の周方向において非対称に設けられても良い。
【００３６】
図３に示すように、この複数の凹部１５は、凹部１５に位置する発泡層１３に大きな気泡（巣）１６を形成するためのものである。ここで、巣１６（内層１２の凹部１５の気泡）の気泡径が発泡層１３の平均気泡径（通常の大きさの気泡１７の平均気泡径）の３倍以上５倍以下であると良い。
【００３７】
気泡径は、作製した発泡ケーブル１０の長手方向の任意点で長手方向に対して垂直に切断し、その断面を画像処理し気泡径を測定する。ここでいう発泡層１３の平均気泡径とは、断面において内層１２の凹部１５を除く発泡層１３の任意の範囲内に形成された気泡を測定し、その平均を発泡層１３の平均気泡径とする。巣１６の気泡（内層１２の凹部１５の気泡）径とは、１つの断面において内層１２の凹部１５が１つの場合には、そこに形成された気泡の径を巣１６の気泡（内層１２の凹部１５の気泡）径とし、１つの断面において内層１２の凹部１５が２つ以上の場合には、それら凹部１５に形成された巣の平均気泡径を巣１６の気泡（内層１２の凹部１５の気泡）径とする。
【００３８】
巣１６の気泡径が発泡層１３の平均気泡径の３倍未満であると、内層１２に凹部１５などを設けず、通常通り発泡層１３を形成して発泡させた発泡ケーブルと同様に偏芯してしまう。通常、発泡層１３の気泡は温度の低い外周方向から樹脂が固まり、気泡径が固定され、中心導体１１付近は樹脂の固化が遅いため気泡も中心導体１１付近の方が比較的大きく成長する。内層１２に凹部１５を設けていない通常の発泡ケーブルでも、これは同様であり、内層１２付近の気泡径は発泡層１３の平均気泡径の２倍程度となるため、本発明の偏芯防止の効果を発揮しない。
【００３９】
一方、巣１６の気泡径が発泡層１３の平均気泡径の５倍よりも大きくなると、気泡が大きすぎるため、内層１２の外表面に形成された凹部１５に気泡が収まらず、不安定になる。
【００４０】
以上の理由から、巣１６の気泡径が発泡層１３の平均気泡径の３倍以上５倍以下であると良い。
【００４１】
このように、巣１６の気泡径が発泡層１３の平均気泡径の３倍以上５倍以下になるようにするためには、凹部１５の寸法とその配置が重要である。
【００４２】
例えば、図１に示すように、内層１２の最小層厚をｄ1（ｍｍ）、内層１２の最大層厚をｄ2（ｍｍ）、凹部１５の幅をｌ（ｍｍ）、凹部１５間の距離をｍ（ｍｍ）とし、直径９ｍｍの中心導体１１の外周に最大層厚ｄ2が０．２≦ｄ2≦１の内層１２を設けた場合、凹部１５の幅ｌを５≦ｌ≦１０、凹部１５間の距離ｍを５≦ｍ≦１０、凹部１５の深さ（ｄ2−ｄ1）を０＜（ｄ2−ｄ1）＜ｄ2の範囲とすることで、巣１６の気泡径を発泡層１３の平均気泡径の３倍以上５倍以下にすることができる。
【００４３】
次に、発泡ケーブル１０の製造方法を説明する。
【００４４】
図４に示すように、発泡ケーブル１０を製造するための設備４０は、中心導体１１を送り出す送出機４１と、送り出された中心導体１１を加熱する予熱機４２と、加熱された中心導体１１の外周に内層１２、発泡層１３、外層１４となる樹脂をそれぞれ押し出す内層押出機４３、発泡押出機４４、外層押出機４５と、内層１２をコルゲート状に加工するコルゲート製造装置４６と、各層で被覆された中心導体１１を冷却する冷却槽４７と、冷却されて完成した発泡ケーブル１０を巻き取る巻取機４８とを備える。
【００４５】
この設備４０を用いて中心導体１１の外周に、充実体をコルゲート加工してなる内層１２、発泡層１３、充実体からなる外層１４を順次形成すると、本実施の形態に係る発泡ケーブル１０が得られる。発泡ケーブル１０は、例えば、その後別工程に送られ外部導体とシースとを被覆して発泡同軸ケーブルとされる。
【００４６】
このように、内層１２の外表面に凹部１５を設けることにより、発泡層１３を形成する際に凹部１５に発泡ガスが溜まり、大きな気泡、即ち巣１６を発生させることができる。また、同じ寸法の凹部１５を内層１２の外表面の長手周方向に沿って等間隔に設けることにより、内層１２と発泡層１３との境界面において特定の周期で規則的に巣１６を発生させることができる。
【００４７】
ここで、凹部１５における巣１６の発生メカニズムを説明する。
【００４８】
本発明者らの研究によっても未だ詳しい発生メカニズムの解明とまでは至っていないが、以下のような事情により巣１６が発生すると考えている。
【００４９】
発泡層１３のガスが多くなると、ガスは発泡層１３の表面側に逃げていくか（ガス漏れ）、より温度が高く樹脂が変形しガスが集合しやすい箇所（中心導体１１付近）に移動するか、どちらかの形態を取ると考えられる。本実施の形態では、発泡層１３の表面に外層１４があるためガス漏れは起きにくく、その代わり中心導体１１付近にガスが集中しやすい。
【００５０】
物理現象から言えば、微小で多くの気泡１７がある状態（不安定な状態）から大きな気泡（巣）１６がある状態（安定な状態）へと移行しようとする。微小な気泡１７が合一して巣１６となるためには、気泡１７間にある樹脂壁を変形させて破断させる必要がある。発泡層１３の表面付近で冷却されて硬くなった樹脂よりも、中心導体１１付近で高温・溶融状態の樹脂の方が変形・破断させやすいため、中心導体１１付近に巣１６が発生すると考えられる。
【００５１】
本発明では、この発生メカニズムを利用して巣１６の発生位置と大きさを制御している。具体的には、図５に示すように、中心導体１１付近に集中した気泡１７が凹部１５内に入り込み、気泡１７間の距離が近づいて樹脂壁５０が薄くなる。樹脂壁５０が薄くなると、樹脂壁５０をほとんど変形させなくても樹脂壁５０を破断させることができるようになり、凹部１５以外の部分に比べて気泡１７が合一しやすくなる。そのため、凹部１５を設けた位置に巣１６を発生させることができる。また、凹部１５の寸法を前述したような大きさとすることで巣１６の大きさも制御することができる。
【００５２】
以上要するに、本実施の形態に係る発泡ケーブル１０によれば、内層１２と発泡層１３との境界面において規則的に巣１６を発生させることができるため、中心導体１１に加えられる力の釣り合いが長手方向に亘って取れ、中心導体１１の偏芯や高周波伝送時の損失を低減し、且つインピーダンス不整合を防止することが可能となる。また、この効果は、材料の改善、製造パラメータの変更をすることなく得られ、その工業的価値は大なるものがある。
【００５３】
よって、本発明によれば、材料の変更や製造条件、発泡層押出機の設備改造を必要とせず、巣の発生位置を制御することで、偏芯を無くし、発泡度７５％以上の良好な発泡層を有する発泡ケーブルを提供することができる。
【００５４】
なお、本発明は、発泡ケーブルの内層構造に特徴を持つものであり、ベース樹脂や発泡核剤を変更しても適用可能である。
【００５５】
また、本発明は、内層１２の外表面の長手周方向に沿って等間隔で凹部１５が形成されていればよく、その形状は任意のものを選択することができる。例えば、図２に示した升目状以外にも、図６、７に示すように、特定の周期で凹部１５が規則的に配置される螺旋状としても良い。この場合も、中心導体１１に加えられる力の釣り合いが長手方向に亘って取れ、中心導体１１の偏芯や高周波伝送時の損失を低減し、且つインピーダンス不整合を防止することが可能となる。
【実施例】
【００５６】
２０Ｄ（中心導体径９．０ｍｍ、発泡絶縁層厚７．０ｍｍ、外部導体径２５．０ｍｍ、シース径２８．０ｍｍ）の高周波用の発泡同軸ケーブルを試作し、評価を行った。試作した発泡同軸ケーブルの各パラメータを表１に示す。
【００５７】
【表１】
2012243500.tif 000003
【００５８】
発泡絶縁層は、内層、発泡層、外層の３層構造とし、各層を構成する際に使用するベース樹脂、発泡核剤、発泡ガスを表２に示す。
【００５９】
【表２】
2012243500.tif 000004
【００６０】
発泡同軸ケーブルは図４で示した設備４０を用いて製造した。
【００６１】
先ず、送出機４１から中心導体を供給し、予熱機４２で加熱した後、内層押出機４３で内層を被覆した。実施例１〜３においてコルゲート製造装置４６で内層にガスポケットとなる複数の凹部を幅ｌ、間隔ｍで設けた。また、このときの内層の最小層厚をｄ1、最大層厚をｄ2とした。
【００６２】
続いて発泡押出機４４にて発泡層を、外層押出機４５で外層を被覆した。発泡層と外層は同一のクロスヘッド上で同時に被覆されるようにした。
【００６３】
各層の被覆が終了した後、冷却槽４７にて冷却して発泡ケーブルを製造した。その後、巻取機４８で回収し、別工程に送り外部導体とシースを被覆した。
【００６４】
評価は、巻取機４８で回収した発泡ケーブルの一部を切り取り、断面を観察することで、各種評価を行った。
【００６５】
評価項目は以下の通りである。
【００６６】
（１）気泡径
２ｋｍを製造し、任意の１０箇所において、ケーブルの長手方向に対して垂直に切断し、その断面をＳＥＭ観察し、各縦断面の内層付近と発泡層中央付近の一部を撮影したＳＥＭ観察画像から、内層と発泡層との境界面の平均気泡径とそれ以外の発泡層の平均気泡径を求めた。
【００６７】
求め方は、ＳＥＭ観察画像の気泡径をなぞり、Ｗｉｎｄｏｗｓ（登録商標）汎用画像処理パッケージＷｉｎＲＯＯＦ（登録商標）を使用して面積Ｓを求め、次いで気泡を面積Ｓの円形と仮定して、Ｓ＝π×ｒ2から半径ｒを求め、直径２×ｒを気泡径とした。
【００６８】
実施例及び比較例４の発泡層の平均気泡径の測定は、１断面につき発泡層断面３ｍｍ中（内層の凹部を含まない部分を選定する）に形成された気泡径を測定、それを上記のように任意点で切断した各１０断面とも同様に測定し、その平均を発泡層の平均気泡径とする。比較例１〜３においては、内層に溝を形成しないため、内層界面付近をさけた発泡層の断面３ｍｍを観察、各１０断面とも同様に測定し、その範囲にある気泡径の平均を発泡層の平均気泡径とする。
【００６９】
内層と発泡層との界面平均気泡径については、内層に溝を形成する実施例及び比較例４については、１断面の内層の凹部に形成された巣の径を各１０断面測定し、その平均を内層と発泡層との界面平均気泡径とし、内層に溝を形成しない比較例１〜３については、１断面において内層と発泡層との界面に形成された気泡のうち最大の気泡を選定し、各１０断面の界面最大気泡径の平均を内層と発泡層との界面平均気泡径とする。
【００７０】
（２）偏芯率
偏芯率とは芯部の中心から外層までの距離の最大値と最小値との比（最大値／最小値）で計算される値である。２ｋｍ製造したうちの合計１０箇所の横断面観察を行い、偏芯率の平均値を求めた。
【００７１】
（３）発泡度
発泡度はアルコール比重法で測定した。２ｋｍ製造したうちの合計１０箇所の発泡層部分を切り取り測定した。
【００７２】
（４）総合判定
製造安定性（歩留り）とインピーダンス特性を総合的に評価した。ここで、偏芯率１．０５未満且つ発泡度７５％以上のものを◎、偏芯率１．０５未満且つ発泡度７０％〜７４％のものを○、偏芯率１．０５〜１．１０のものを△、偏芯率が１．１０より大きいものを×とし、○以上で運用可能と判断した。
【００７３】
実施例１〜３、比較例１〜４の各断面構造条件、評価結果を表３に示す。なお、実施例１〜３は本発明を適用した発泡同軸ケーブルであり、比較例１〜４は従来の発泡同軸ケーブルである。
【００７４】
【表３】
2012243500.tif 000005
【００７５】
比較例２に示す通り、従来の発泡同軸ケーブルでは、内層発泡層境界平均気泡径が発泡層の平均気泡径の３倍程度になると偏芯が１．１近くになり、それ以上になると比較例３に示す通り大きく偏芯してしまう。
【００７６】
比較例１〜３は、内層を従来の発泡ケーブルと同様に溝を設けずに作製した。比較例１〜３は同様の構成でありながらも、内層発泡層境界平均気泡径が大きく異なり、発泡層の平均気泡径との差や偏芯率もまばらである。
【００７７】
これは、本発明のように、巣の大きさや発生位置を制御していないために、製造するごとに巣の位置や大きさがランダムに発生してしまうためである。その都度発泡度や偏芯率が大きく異なるため、安定した発泡ケーブルが提供できないことがわかる。
【００７８】
これに対し、本発明を適用した発泡同軸ケーブルでは、内層発泡層境界平均気泡径が発泡層の平均気泡径の４倍以上になっても、偏芯率が１．１以下となっている。得られた発泡同軸ケーブルの横断面概略図を図３に示す。図３に示すように、内層１２の凹部１５に巨大な気泡（巣）１６が均一に発生し、中心導体１１の偏芯を防ぐことが可能であった。
【符号の説明】
【００７９】
１０  発泡ケーブル
１１  中心導体
１２  内層
１３  発泡層
１４  外層
１５  凹部
１６  巣
【図１】
2012243500.tif 000006
【図２】
2012243500.tif 000007
【図３】
2012243500.tif 000008
【図４】
2012243500.tif 000009
【図５】
2012243500.tif 000010
【図６】
2012243500.tif 000011
【図７】
2012243500.tif 000012
【図８】
2012243500.tif 000013
【図９】
2012243500.tif 000014
【図１０】
2012243500.tif 000015